(57)【要約】  【課題】  多層記録媒体の目的の記録層に対するトラッキングエラー信号の振幅およびオフセット変動を低減し、安定なトラッキング制御動作を実現した光学的情報記録再生装置を提供する。  【解決手段】  光スポットが合焦している記録層の情報トラックへの記録状態を検出する自層記録状態検出回路１４と、光スポットが合焦している記録層以外の記録層の情報トラックへの記録状態を検出する他層記録状態検出回路１９とを設け、自層記録状態検出回路により検出された自層の記録状態と他層記録状態検出回路により検出された他層の記録状態に応じて、トラッキングエラー信号の振幅およびオフセットが補正される。【選択図】  図１
2006268908.tif 000002
【特許請求の範囲】
【請求項１】
情報トラックに沿って情報の記録または再生を行う記録層を複数有する多層記録媒体と、
対物レンズを含み、前記多層記録媒体の記録層に光スポットを照射し、前記多層記録媒体の記録層からの反射光量を検出する光ピックアップと、
前記光ピックアップにより検出された反射光量に基づいて、前記光スポットと情報トラックとのディスク径方向の位置ずれ量を検出し、トラッキングエラー信号として出力するトラッキングエラー検出手段と、
前記光ピックアップにより検出された反射光量に基づいて、前記光スポットが合焦している記録層である自層の情報トラックへの記録状態を検出する自層記録状態検出手段と、
前記光ピックアップにより検出された反射光量に基づいて、前記光スポットが合焦している記録層以外の記録層である他層の情報トラックへの記録状態を検出する他層記録状態検出手段と、
前記自層記録状態検出手段により検出された自層の記録状態と前記他層記録状態検出手段により検出された他層の記録状態に応じて、前記トラッキングエラー信号の振幅を補正する振幅補正手段と、
前記自層記録状態検出手段により検出された自層の記録状態と前記他層記録状態検出手段により検出された他層の記録状態に応じて、前記トラッキングエラー信号のオフセットを補正するオフセット補正手段とを備えた光学的情報記録再生装置。
【請求項２】
前記他層記録状態検出手段は、
前記光スポットの前記ディスクからの反射光量を検出する反射光量検出手段と、
前記反射光量検出手段の出力信号を記憶する反射光量記憶手段とを備え、
他の記録層に情報が記録されていない場合の反射光量を前記反射光量記憶手段に予め記憶させておき、前記反射光量記憶手段の出力信号と前記反射光量検出手段の出力信号との差に基づき、自層および他層の記録状態を判別する請求項１記載の光学的情報記録再生装置。
【発明の詳細な説明】
【技術分野】
【０００１】
本発明は、収束した光スポットを用いて複数の記録層を有する光ディスクに対して情報を記録または再生する光学的情報記録再生装置に関するものである。
【背景技術】
【０００２】
光学的に情報の記録または再生が可能な光記録媒体としては、ＤＶＤ−ＲやＤＶＤ−ＲＡＭ等が知られている。光記録媒体に対して、半導体レーザ等のレーザ光を光源として用い、レンズを介して微小に集光した光ビームを照射することで、情報の記録あるいは再生が行われる。
【０００３】
これら光記録媒体においては、さらに記録容量を高めるための技術開発が盛んに行われている。この中で、情報層を積層した多層記録媒体は、情報層の数に応じて記録容量を高めることが可能であり、さらに他の高密度記録技術と組み合わせることが容易であるという特徴を有する。多層記録媒体としては、すでに再生専用のＤＶＤ−ＲＯＭディスクが実用化されており、ＤＶＤ−ＲやＤＶＤ−ＲＡＭといった、相変化材料、色素材料などの記録可能な情報層を積層した記録可能な多層記録媒体に関しても実用化されつつある。
【０００４】
ＤＶＤ−Ｒ装置やＤＶＤ−ＲＡＭ装置に代表される光学的情報記録再生装置では、ディスクに設けられた約０．７４μｍピッチの情報トラックに直径約０．５μｍの光スポットを照射して情報の記録再生が行われる。光スポットをディスク面に照射する際、垂直方向に約±０．５μｍ精度で追従するフォーカス制御が行われ、また情報トラックと光スポットのトラックずれが約±０．１μｍ精度で追従するトラッキング制御が行われる。
【０００５】
これらのサーボ動作は、光記録媒体からの反射光を光検出器により受光して得られた制御信号に基づいて行われる。情報層に相変化材料、色素材料を用いた光記録媒体に対して、情報層薄膜に照射した光の反射光の光量変化を利用して情報の記録または再生が行われる。また情報の記録時には、再生時の約１０倍の高いパワーの光が光記録媒体に照射される。従って、サーボ動作のための信号（フォーカスエラー信号、トラッキングエラー信号）を得る光検出器には、再生トラックの状態が未記録または記録、動作が再生または記録であるかの条件で、対物レンズが情報層薄膜の位置に追従する動作が同一であっても、反射光量が変化するために、サーボ信号（フォーカスサーボ信号、トラッキングサーボ信号）の振幅が変化する。
【０００６】
記録時と再生時とで光記録媒体に照射するパワーの違いによるサーボ信号の振幅変化を補償するため、フォーカス動作時には、フォーカス制御回路のゲインをフォーカスエラー信号の和信号の値に反比例させ、同様にトラッキング動作時には、トラッキング制御回路のゲインをトラッキングエラー信号の和信号の値に反比例させて、サーボ信号の振幅が光スポットのパワーが変化しても絶えず一定になるように補正を行っている。
【０００７】
以下に、従来の光学的情報記録再生装置について、図４を参照して説明する。図４は、従来の光学的情報記録再生装置の構成例を示すブロック図である。
【０００８】
図４において、ディスク３は、情報が螺旋状もしくは同心円状のトラックに沿って記録される記録層を２層（第１の記録層１および第２の記録層２）有しており、図示しないスピンドルモータにより回転するように構成されている。ディスク３の各記録層に対する記録、再生は、光ピックアップ４により行われる。光ピックアップ４には、半導体レーザ（ＬＤ）５、コリメータレンズ６、ビームスプリッタ７、対物レンズ８、２分割フォトディテクタ（ＰＤ）９が取り付けられている。
【０００９】
トラッキングエラー検出回路１０は、２分割ＰＤ９の各（ＰＤ９（ａ）、９（ｂ））の出力信号の差と和を求め、それぞれをＬＰＦ１１、１２を通して、制御に不要な高周波成分を除去した後に、除算回路１３によりＬＰＦ１１の出力信号ＬＯＤをＬＰＦ１２の出力信号ＬＯＡで除算して、各記録層上の情報トラックの中心からの変位量であるトラッキングエラー信号ＴＥとして出力する。
【００１０】
次に、第１の記録層１上の情報トラックに対して、記録および再生を行う際の具体的な動作について、図４を参照して説明する。
【００１１】
半導体レーザ５から出射した光ビームは、コリメータレンズ６で平行光になり、ビームスプリッタ７、対物レンズ８を介して、第１の記録層１上の情報トラックに集光される。ディスク３からの反射光の一部を用いて、対物レンズ８により絞られた光ビームの焦点位置が常にディスク３上の第１の記録層１に合うように対物レンズ８を上下方向に移動させるフォーカス制御が行われている。
【００１２】
また、ディスク３からの反射光の一部は、対物レンズ８、ビームスプリッタ７を介して２分割ＰＤ９に入射し、２分割ＰＤ９は各ＰＤ９（ａ）、９（ｂ）で検出した光量を示す電圧を出力する。
【００１３】
トラッキングエラー検出回路１０は、２分割ＰＤ９の各ＰＤ９（ａ）、９（ｂ）の出力信号の差と和を求め、それぞれをＬＰＦ１１、１２を通して、制御に不要な高周波成分を除去した後に、除算回路１３によりＬＰＦ１１の出力信号ＬＯＤをＬＰＦ１２の出力信号ＬＯＡで除算して、各記録層上の情報トラックの中心から径方向の変位量であるトラッキングエラー信号ＴＥとして出力する。このトラッキングエラー信号ＴＥのレベルがゼロになるように、対物レンズ８をディスク３の径方向に移動させるトラッキング制御が行われている。
【特許文献１】特開２００１−９３１８９号公報
【特許文献２】特開２０００−３０６２５２号公報
【発明の開示】
【発明が解決しようとする課題】
【００１４】
しかしながら、複数の記録層からなる多層記録媒体においては、目的の記録層だけでなく隣接する記録層からの反射光が、サーボ信号（フォーカスサーボ信号、トラッキングサーボ信号）を検出するための光検出器に入射し、それらがサーボ信号に振幅の変化やオフセットを生じさせる、という問題がある。この問題について、図５を参照して説明する。
【００１５】
図５は、ディスク３の第１の記録層１から情報を再生する場合に、ディスク３に対する対物レンズ８の位置を変化させた時の、図４に示す従来の光学的情報記録再生装置における各部信号の波形図である。
【００１６】
図５において、ＲＬ１（ａ）は第１の記録層１からのＰＤ９（ａ）への反射光量、ＲＬ１（ｂ）は第１の記録層１からのＰＤ９（ｂ）への反射光量、ＲＬ２（ａ）は第２の記録層２からのＰＤ９（ａ）への反射光量、ＲＬ２（ｂ）は第２の記録層２からの２分割ＰＤ９（ｂ）への反射光量、ＬＯＤは、ＬＰＦ１１を通過した後のＰＤ９（ａ）の出力信号とＰＤ９（ｂ）の出力信号との差分信号、ＬＯＡは、ＬＰＦ１２を通過した後のＰＤ９（ａ）の出力信号とＰＤ（ｂ）の出力信号との加算信号、およびＴＥは除算回路１３を通過した後のトラッキングエラー信号を示す。
【００１７】
また、ディスク３において、領域Ｘ１は、第１の記録層１は未記録で第２の記録層２も未記録の状態、領域Ｘ２は、第１の記録層１は未記録で第２の記録層２が記録済みの状態、領域Ｘ３は、第１の記録層１は記録済みで第２の記録層２も記録済みの状態、領域Ｘ４は、第１の記録層は記録済みで第２の記録層は未記録の状態にある。以下、このような状態にある各領域における問題点について説明する。
【００１８】
（領域Ｘ１）
第１の記録層１に対しては光スポットの焦点が合っているため、ＰＤ９（ａ）とＰＤ９（ｂ）には、ほぼ同量の反射光が入射し、第１の記録層１からのＰＤ９（ａ）への反射光量ＲＬ１（ａ）は、第１の記録層１上のトラックにより回折されて、正弦波状の変化を示す。
【００１９】
第１の記録層１からのＰＤ９（ｂ）への反射光量ＲＬ１（ｂ）も同様に正弦波状の変化を示すが、ＲＬ１（ａ）とは回折による正弦波変化が逆位相となる。
【００２０】
一方、第２の記録層２に対しては光スポットの焦点が合っていないため、ＰＤ９（ａ）とＰＤ９（ｂ）には不均等に反射光が入射され（例えば、２：１の比）、また第２の記録層２上の情報トラックによる回折の影響も微少となる。これにより、第２の記録層２からのＰＤ９（ａ）への反射光量ＲＬ２（ａ）と、第２の記録層２からのＰＤ９（ｂ）への反射光量ＲＬ２（ｂ）は、それぞれ図示するが如く不均等となる。
【００２１】
ＬＰＦ１１の出力信号である差分信号ＬＯＤは、（ＲＬ１（ａ）＋ＲＬ２（ａ））−（（ＲＬ１（ｂ）＋ＲＬ２（ｂ））に比例した信号波形となる。また、ＬＰＦ１２の出力信号である加算信号ＬＯＡは、（ＲＬ１（ａ）＋ＲＬ２（ａ））＋（（ＲＬ１（ｂ）＋ＲＬ２（ｂ））に比例した信号波形となる。
【００２２】
除算回路１３を通過した後のトラッキングエラー信号ＴＥは、図示するが如くの波形となる。つまり、第２の記録層２からＰＤ９（ａ）とＰＤ９（ｂ）への反射光量の不均等に比例したオフセットがトラッキングエラー信号ＴＥに生じてしまう。
【００２３】
（領域Ｘ２）
第１の記録層１からのＰＤ９（ａ）とＰＤ９（ｂ）への反射光量は同じであるが、第２の記録層２からの反射光については、第２の記録層２に情報が記録されているので、記録されたトラックでの反射率が下がる（例えば、１／２）ことになる。つまり、第１の記録層１からのＰＤ９（ａ）への反射光量ＲＬ１（ａ）と第１の記録層１からのＰＤ９（ｂ）への反射光量ＲＬ１（ｂ）は領域Ｘ１のそれらと同じであるが、第２の記録層２からのＰＤ９（ａ）への反射光量ＲＬ２（ａ）と、第２の記録層２からのＰＤ９（ｂ）への反射光量ＲＬ２（ｂ）は、それぞれ図示するが如く、領域Ｘ１のそれらよりも反射率の低下に比例して小さくなる。
【００２４】
その結果、第２の記録層２からのＰＤ９（ａ）とＰＤ９（ｂ）への反射光量の不均等によるトラッキングエラー信号ＴＥに生じるオフセット量も小さくなる。また、ＬＰＦ１２の出力信号である加算信号ＬＯＡは小さくなり、それに反比例してトラッキングエラー信号ＴＥの振幅は大きくなる。
【００２５】
（領域Ｘ３）
第１の記録層１に情報が記録されており、記録されたトラックで反射率が下がると共に、記録したデータ（高帯域の明暗の変化）自体も、２分割ＰＤ９で検出さる。そのため、第１の記録層１からのＰＤ９（ａ）への反射光量ＲＬ１（ａ）とＰＤ９（ｂ）への反射光量ＲＬ１（ｂ）は、図示するが如く、反射光量が下がることにより全体のレベルが下がり、記録データの漏れ込みによる高周波成分が重畳された波形となる。第２の記録層２からのＰＤ９（ａ）への反射光量ＲＬ２（ａ）とＰＤ（ｂ）への反射光量ＲＬ２（ｂ）は、領域Ｘ２のそれらと同じである。
【００２６】
ＬＰＦ１１により高帯域成分を除去することで、ＬＰＦ１１の出力信号である差分信号ＬＯＤは、（ＲＬ１（ａ）＋ＲＬ２（ａ））−（（ＲＬ１（ｂ）＋ＲＬ２（ｂ））に比例した信号波形となる。また、ＬＰＦ１２により高帯域成分を除去することで、ＬＰＦ１２の出力信号である加算信号ＬＯＡは、（ＲＬ１（ａ）＋ＲＬ２（ａ））＋（（ＲＬ１（ｂ）＋ＲＬ２（ｂ））に比例した信号波形となる。つまり、ＬＰＦ１２の出力信号である加算信号ＬＯＡは更に小さくなり、それに反比例してトラッキングエラー信号ＴＥの振幅は大きくなる。また、第２の記録層２からＰＤ９（ａ）とＰＤ９（ｂ）への反射光量の不均等によるトラッキングエラー信号ＴＥに生じるオフセット量も、領域Ｘ２のそれよりも大きくなる。
【００２７】
（領域Ｘ４）
第１の記録層１から２分割ＰＤ９への反射光量ＲＬ１（ａ）、ＲＬ１（ｂ）については領域Ｘ３のそれらと同じ、第２の記録層２から２分割ＰＤ９への反射光量ＲＬ２（ａ）、ＲＬ２（ｂ）については領域Ｘ１のそれらと同じになる。その結果、差分信号ＬＯＤは領域Ｘ１のそれと同じ、加算信号ＬＯＡは領域Ｘ３のそれよりも大きくなり、図示するが如く、トラッキングエラー信号ＴＥに振幅の変化とオフセットを生じる。
【００２８】
以上のように、従来の光学的情報記録再生装置では、複数の記録層を有する多層記録媒体においては、情報の記録および再生を行う目的の記録層以外の記録層の記録状態に依存して、トラッキングエラー信号ＴＥに振幅の変化とオフセットが生じてしまい、トラッキングサーボ信号の振幅も変動し、サーボ動作が不安定になってしまう。
【００２９】
なお、記録面と光ビームスポットの焦点とのディスク垂直方向の変位を表すフォーカスエラー信号に関しても、他層の記録状態による振幅変動およびオフセットが生じ、トラッキングサーボと同様にフォーカスサーボも不安定になる。
【００３０】
本発明は、上記の問題点に鑑みてなされたものであり、その目的は、多層記録媒体の目的の記録層に対するトラッキングエラー信号の振幅およびオフセット変動を低減し、安定なトラッキング制御動作を実現した光学的情報記録再生装置を提供することにある。
【課題を解決するための手段】
【００３１】
前記の目的を達成するため、本発明に係る光学的情報記録再生装置は、情報トラックに沿って情報の記録または再生を行う記録層を複数有する多層記録媒体と、対物レンズを含み、多層記録媒体の記録層に光スポットを照射し、多層記録媒体の記録層からの反射光量を検出する光ピックアップと、光ピックアップにより検出された反射光量に基づいて、光スポットと情報トラックとのディスク径方向の位置ずれ量を検出し、トラッキングエラー信号として出力するトラッキングエラー検出手段と、光ピックアップにより検出された反射光量に基づいて、光スポットが合焦している記録層である自層の情報トラックへの記録状態を検出する自層記録状態検出手段と、光ピックアップにより検出された反射光量に基づいて、光スポットが合焦している記録層以外の記録層である他層の情報トラックへの記録状態を検出する他層記録状態検出手段と、自層記録状態検出手段により検出された自層の記録状態と他層記録状態検出手段により検出された他層の記録状態に応じて、トラッキングエラー信号の振幅を補正する振幅補正手段と、自層記録状態検出手段により検出された自層の記録状態と他層記録状態検出手段により検出された他層の記録状態に応じて、トラッキングエラー信号のオフセットを補正するオフセット補正手段とを備えた構成を有する。
【００３２】
また、本発明に係る光学的情報記録再生装置において、他層記録状態検出手段は、光スポットの多層記録媒体からの反射光量を検出する反射光量検出手段と、反射光量検出手段の出力信号を記憶する反射光量記憶手段とを備え、他の記録層に情報が記録されていない場合の反射光量を反射光量記憶手段に予め記憶させておき、前記反射光量記憶手段の出力信号と前記反射光量検出手段の出力信号との差に基づき、自層および他層の記録状態を判別する。
【発明の効果】
【００３３】
本発明によれば、多層記録媒体の目的の記録層に対するトラッキングエラー信号の振幅およびオフセット変動を低減し、安定なトラッキング制御動作を実現した光学的情報記録再生装置を提供することが可能になる。
【発明を実施するための最良の形態】
【００３４】
以下、本発明の好適な実施形態について、図面を参照しながら説明する。
【００３５】
図１は、本発明の一実施形態に係る光学的情報記録再生装置の一構成例を示すブロック図である。なお、図１において、従来例の説明で参照した図４と同じ構成および機能を有する部分、また同じ信号については、同じ符号および記号を付して、その説明は省略する。
【００３６】
本実施形態は、従来例の構成に加えて、自層記録状態検出回路１４と、他層記録状態検出回路１９と、ＴＥ振幅検出回路２３、ＴＥ振幅記憶回路２４、および振幅補正回路２５からなる振幅補正手段と、ＴＥオフセット検出回路２６、ＴＥオフセット記憶回路２７、およびオフセット補正回路２８からなるオフセット補正手段とを設けた点にある。
【００３７】
図１において、自層記録状態検出回路１４は、ＰＤ９（ａ）とＰＤ９（ｂ）の出力信号の加算信号ＰＤＡを受けて、高帯域の信号成分のみを抽出するＨＰＦ１５と、ＨＰＦ１５を通過した後の信号ＨＯの振幅を検出する記録信号振幅検出回路１６と、記録信号振幅検出回路１５により検出された信号の振幅ＨＯＡＤを記憶し、記憶した振幅に所定の係数（例えば、１／２）を乗算して出力する第１の振幅記憶回路１７と、記録信号振幅検出回路１５の出力信号ＨＯＡＤと第１の振幅記憶回路１７の出力信号Ｖｔｈ１との大小関係を比較して、その比較結果を信号ＣＯ１として出力するコンパレータ（ＣＯＭＰ）１８とにより構成される。
【００３８】
他層記録状態検出回路１９は、ＬＰＦ１２の出力信号ＬＯＡの振幅を検出するための加算信号振幅検出回路２０と、加算信号振幅検出回路２０により検出された加算信号の振幅ＬＯＡＤとコンパレータ１８の出力信号ＣＯ１を組にして記憶し、記憶した振幅に所定の演算（詳細は後述する）を施して信号Ｖｔｈ２として出力する第２の振幅記憶回路２１と、加算信号振幅検出回路２０の出力信号ＬＯＡＤと第２の振幅記憶回路２１の出力信号Ｖｔｈ２との大小関係を比較して、その比較結果を信号ＣＯ２として出力するコンパレータ（ＣＯＭＰ）２２とにより構成される。
【００３９】
ＴＥ振幅記憶回路２４は、ＴＥ振幅検出回路２３により検出されたトラッキングエラー信号ＴＥの振幅ＴＥＡＤと、自層記録状態検出回路１４および他層記録状態検出回路１９によりそれぞれ検出された自層および他層の記録状態の情報ＣＯ１、ＣＯ２とを組にして記憶し、記憶した後は、自層および他層の記録状態の情報ＣＯ１、ＣＯ２に応じたＴＥ信号振幅値を読み出して、振幅補正回路２５に出力する。振幅補正回路２５は、トラキングエラー信号ＴＥにＴＥ振幅記憶回路２４の出力信号を用いて所定の演算（例えば、トラキングエラー信号ＴＥをＴＥ振幅記憶回路２４の出力信号で除算）を施して、振幅補正後トラッキングエラー信号ＴＥｃａとして出力する。
【００４０】
ＴＥオフセット記憶回路２７は、ＴＥオフセット検出回路２６により検出されたトラッキングエラー信号ＴＥＯＤのオフセット量を、自層記録状態検出回路１４および他層記録状態検出回路１９により検出された自層および他層の記録状態の情報と組にして記憶し、記憶した後は、自層および他層の記録状態の情報に応じた、ＴＥ信号オフセット量を読み出し、オフセット補正回路２８に出力する。オフセット補正回路２８は、振幅補正後トラキングエラー信号ＴＥｃａからＴＥオフセット記憶回路２７の出力信号を減算して、オフセット補正後トラッキングエラー信号ＴＥｃｏとして出力する。
【００４１】
次に、以上のように構成された本実施形態の光学的情報記録再生装置の動作について、図１に加えて、図２および図３を参照して説明する。
【００４２】
図２および図３は、ディスク３の第１の記録層１から情報を再生する場合に、ディスク３に対する対物レンズ８の位置を変化させた時の、図１に示す本実施形態の光学的情報記録再生装置における各部信号の波形図である。また、図２および図３において、領域Ｘ１から領域Ｘ４の記録状態（未記録または記録済み）は、図５に示す各領域の記録状態と同じである。
【００４３】
加算信号ＰＤＡがＨＰＦ１５を通過して得られるトラッキング加算信号ＨＯは、第１の記録層１が記録済みである領域Ｘ３および領域Ｘ４において、記録されたデータ（高帯域の明暗の変化）である高周波成分として抽出さる。記録信号振幅検出回路１６において、この高周波成分の振幅ＨＯＡＤが検出されるとともに、予め第１の記録層１が記録済みの領域（Ｘ３もしくはＸ４）で、第１の振幅記憶回路１７に記憶させておき、記憶後は、記憶された振幅の１／２の値を信号Ｖｔｈ１（点線で示す）として出力する。コンパレータ１８により、記録信号振幅検出回路１６の出力信号ＨＯＡＤと第１の振幅記憶回路１７の出力信号Ｖｔｈ１とが比較され、記録信号振幅検出回路１６の出力信号ＨＯＡＤのレベルが大きい場合に、自層が記録済みであることを示すＨｉｇｈレベルが信号ＣＯ１として出力される。
【００４４】
加算信号振幅検出回路２０は、ＬＰＦ１２を通過した後のトラッキング加算信号ＬＯＡの振幅ＬＯＡＤ（実線で示す）を検出する。また、第２の振幅記憶回路は、予め、領域Ｘ１、Ｘ２、Ｘ３、Ｘ４にて加算信号振幅検出回路２０の出力結果を記憶しておき、自層が未記録（自層記録状態検出回路１４の出力信号ＣＯ１がＬｏｗレベル）の場合には、領域Ｘ１とＸ２での振幅記憶結果の平均を、自層が記録済み（自層記録状態検出回路１４の出力信号がＨｉｇｈレベル）の場合には、領域Ｘ３とＸ４での振幅記憶結果の平均を、信号Ｖｔｈ２（点線で示す）として出力する。記憶後は、コンパレータ２２により、加算信号振幅検出回路２０の出力信号ＬＯＡＤと第２の振幅記憶回路２１の出力信号Ｖｔｈ２とが比較され、加算信号振幅検出回路２０の出力信号ＬＯＡＤのレベルが小さい場合に、他層が記録済みであることを示すＨｉｇｈレベルが信号ＣＯ２として出力される。
【００４５】
ＴＥ振幅検出回路２３は、トラッキングエラー信号ＴＥの振幅ＴＥＡＤ（図３）を検出し、ＴＥ振幅記憶回路２４により、自層記録状態検出回路１４と他層記録状態検出回路１９により検出された各層の記録状態と組にして予め記憶しておき、記憶後は、自層記録状態検出回路１４と他層記録状態検出回路１９により検出された各層の記録状態に応じた振幅値が読み出され、振幅補正回路２５に出力される。振幅補正回路２５は、トラッキングエラー信号ＴＥをＴＥ振幅記録回路２４の出力信号により除算することで、図３に示す振幅補正後トラッキングエラー信号ＴＥｃａが得られる。
【００４６】
ＴＥオフセット検出回路２６は、振幅補正後トラッキングエラー信号ＴＥｃａのオフセットＴＥＯＤを検出し、検出されたオフセットＴＥＯＤを、ＴＥオフセット記憶回路２７により、自層記録状態検出回路１４と他層記録状態検出回路１９により検出された各層の記録状態と組にして予め記憶しておき、記憶後は、自層記録状態検出回路１４と他層記録状態検出回路１９により検出された各層の記録状態に応じたオフセット値が読み出され、オフセット補正回路２８に出力される。オフセット補正回路２８は、振幅補正後トラッキングエラー信号ＴＥｃａよりＴＥオフセット記憶回路２７の出力信号を減算することで、図３に示すオフセット補正後トラッキングエラー信号ＴＥｃｏが得られる。
【００４７】
このようにして、各領域（Ｘ１〜Ｘ４）でのトラッキングエラー信号の振幅を一定に保ち、トラッキングエラー信号のオフセットが除去された、トラッキングエラー信号が得られる。
【００４８】
以上のように、本実施形態によれば、複数の記録層からなる多層記録媒体から情報を再生する場合において、目的の記録層だけでなく隣接する記録層からの反射光が、トラッキングサーボ信号を検出するための光検出器に入射し、それらのオフセットが自層および他層の記録状態により変化しても、予め各層の記録状態毎のトラッキングエラー信号の振幅およびオフセットを記憶しておき、自層および他層の記録状態を検出し、記憶しておいた振幅およびオフセットに応じて、トラッキングエラー信号を補正することで、トラッキングエラー信号の振幅およびオフセット変動を低減し、安定なトラッキング制御動作を実現することができる。
【００４９】
なお、本発明は、上記した形態に限定されるものではなく、本実施形態では、トラッキングエラー信号に絞って説明を行ったが、記録面と光ビームスポットの焦点とのディスク垂直方向の変位を表すフォーカスエラー信号でも他層および自層の記録状態によりその振幅およびオフセットが変動するが、本発明と同様の構成により、フォーカスエラー信号についても振幅およびオフセットの変動を低減し、安定なフォーカス制御動作を実現することができる。
【００５０】
また、自層および他層の記録状態の判断するために、光ピックアップからの検出信号を用いた構成としたが、ディスクに各記録層に対して情報を記録した領域を特定するための情報を記録領域情報として書き込む記録領域情報手段と、光ピックアップの位置を検出する光ピックアップ位置検出手段とを設けて、記録領域情報と光ピックアップ位置検出手段により検出した位置において他層および自層が記録済みかを判別する構成としても、同様の効果を得ることができる。さらに、両方式を併用することで、更に高精度に自層および他層の記録状態の判別が可能となる。
【００５１】
また、本実施形態では、ディスク上の記録層を２層として説明したが、ディスク上の記録層が３層以上存在する場合は、他層記録状態検出手段を複数持たせ、各記憶回路の記憶状態の組み合わせも複数化することで、同様の効果を得ることができる。
【産業上の利用可能性】
【００５２】
本発明にかかる光学的情報記録再生装置は、多層記録媒体の目的の記録層に対するトラッキングエラー信号の振幅およびオフセット変動を低減し、安定なトラッキング制御動作を実現することができるという利点を有し、他層記録媒体を用いた光ディスク装置として有用である。
【図面の簡単な説明】
【００５３】
【図１】本発明の一実施形態に係る光学的情報記録再生装置の一構成例を示すブロック図
【図２】ディスク３の第１の記録層１から情報を再生する場合に、ディスク３に対する対物レンズ８の位置を変化させた時の、図１に示す光学的情報記録再生装置における各部信号の波形図
【図３】ディスク３の第１の記録層１から情報を再生する場合に、ディスク３に対する対物レンズ８の位置を変化させた時の、図１に示す本実施形態の光学的情報記録再生装置における各部信号の波形図
【図４】従来の光学的情報記録再生装置の一構成例を示すブロック図
【図５】ディスク３の第１の記録層１から情報を再生する場合に、ディスク３に対する対物レンズ８の位置を変化させた時の、図４に示す従来の光学的情報記録再生装置における各部信号の波形図
【符号の説明】
【００５４】
１  第１の記録層
２  第２の記録層
３  ディスク（多層記録媒体）
４  光ピックアップ
５  半導体レーザ
６  コリメータレンズ
７  ビームスプリッタ
８  対物レンズ
９（ａ）、９（ｂ）  ２分割ＰＤ
１０  トラッキングエラー検出回路
１１、１２  ＬＰＦ
１３  除算回路
１４  自層記録状態検出回路
１５  ＨＰＦ
１６  記録信号振幅検出回路
１７  第１の振幅記憶回路
１８、２２  コンパレータ
１９  他層記録状態検出回路
２０  加算信号振幅検出回路
２１  第２の振幅記憶回路
２３  ＴＥ振幅検出回路（振幅補正手段）
２４  ＴＥ振幅記憶回路（振幅補正手段）
２５  振幅補正回路（振幅補正手段）
２６  ＴＥオフセット検出回路（オフセット補正手段）
２７  ＴＥオフセット記憶回路（オフセット補正手段）
２８  オフセット補正回路（オフセット補正手段）
【図１】
2006268908.tif 000003
【図２】
2006268908.tif 000004
【図３】
2006268908.tif 000005
【図４】
2006268908.tif 000006
【図５】
2006268908.tif 000007